【手続補正書】
【提出日】平成23年10月20日(2011.10.20)
【手続補正１】
【補正対象書類名】特許請求の範囲
【補正対象項目名】全文
【補正方法】変更
【補正の内容】
【特許請求の範囲】
【請求項１】
画像から人物領域を検出する検出手段と、
前記検出手段によって検出された人物領域が複数か否かを判定する第１の判定手段と、
前記第１の判定手段によって複数と判定された場合に、これら複数の人物領域のうち所定の条件を満たした人物の人物領域を選択する選択手段と、
この選択手段によって選択された人物領域について前記画像中における高さを伸ばすように修正した画像を生成する生成手段と
を備えたこと特徴とする画像生成装置。
【請求項２】
前記生成手段は、前記選択された人物領域の人物の顔以外の部分を変形させることによって、前記人物領域について前記高さを伸ばすように修正した画像を生成することを特徴とする請求項１に記載の画像生成装置。
【請求項３】
前記生成手段は、前記選択された人物領域の人物の顔部分を変形させることによって、前記人物領域について前記高さを伸ばすように修正した画像を生成することを特徴とする請求項１に記載の画像生成装置。
【請求項４】
前記第１の判定手段によって複数検出されたと判定された場合に、これらの人物領域に含まれる人物の前記高さの差が所定の範囲内であるか否を判定する第２の判定手段を更に備え、
前記選択手段は、前記第２の判定手段によって前記高さの差が所定の範囲内であると判定された場合に、前記検出された複数の人物のうち、所定の条件を満たした人物の人物領域を選択することを特徴とする請求項１から３の何れかに記載の画像生成装置。
【請求項５】
前記第１の判定手段によって複数検出されたと判定された場合に、これらの人物領域に含まれる人物のうち、前記画像中における高さの最も高い人物と他の人物との高さの差が所定値以上であるか否を判定する第３の判定手段を更に備え、
前記選択手段は、前記第３の判定手段によって所定値以上であると判定された場合に、前記検出された複数の人物のうち、所定の条件を満たした人物の人物領域を選択することを特徴とする請求項１から３の何れかに記載の画像生成装置。
【請求項６】
修正対象の人物の画像を登録する登録手段と、
前記検出手段によって検出された人物領域に、前記登録手段によって登録された人物の画像が含まれるか否かを判定する第４の判定手段と、
を更に備え、
前記選択手段は、前記第４の判定手段によって登録された人物が含まれると判定された場合に、前記登録された人物の人物領域を選択することを特徴とする請求項１から３の何れかに記載の画像生成装置。
【請求項７】
前記所定の条件を満たした人物とは、前記検出された複数の人物のうち、前記画像内において、前記画像中における高さが最も低い人物であることを特徴とする請求項１から４の何れかに記載の画像生成装置。
【請求項８】
前記所定の条件を満たした人物とは、前記検出された複数の人物のうち、前記画像内において、前記画像中における高さが最も高い人物以外の人物であることを特徴とする請求項１から４の何れかに記載の画像生成装置。
【請求項９】
前記所定の条件を満たした人物とは、前記検出された複数の人物のうち、前記第３の判定手段によって前記高さの差が所定値以上であると判定された人物であることを特徴とする請求項５に記載の画像生成装置。
【請求項１０】
撮像して画像を取得する撮像手段を備え、
前記複数の人物が写った画像を撮像する撮像手段を更に備えたことを特徴とする請求項１〜９の何れかに記載の画像生成装置。
【請求項１１】
画像から人物領域を検出する検出ステップと、
この検出ステップによって複数の人物が検出されたか否かを判定する判定ステップと、
この判定ステップによって複数の人物が検出されたと判定された場合に、検出された人物のうち所定の条件を満たした人物の人物領域を選択する選択ステップと、
この選択された人物領域の前記画像中における高さを伸ばした修正画像を生成する生成手段と
を含むこと特徴とする画像生成方法。
【請求項１２】
画像生成装置が備えるコンピュータに、
画像から人物領域を検出する検出手段と、
前記検出手段によって複数の人物が検出されたか否かを判定する第１の判定手段と、
前記第１の判定手段によって複数の人物が検出されたと判定された場合に、前記検出された人物のうち所定の条件を満たした人物の人物領域を選択する選択手段と、
前記選択された人物領域の前記画像中における高さを伸ばした修正画像を生成する生成手段と
しての機能を実現させるためのプログラム。
【手続補正２】
【補正対象書類名】明細書
【補正対象項目名】００１１
【補正方法】変更
【補正の内容】
【００１１】
請求項１記載の発明は、画像から人物領域を検出する検出手段と、前記検出手段によって検出された人物領域が複数か否かを判定する第１の判定手段と、前記第１の判定手段によって複数と判定された場合に、これら複数の人物領域のうち所定の条件を満たした人物の人物領域を選択する選択手段と、この選択手段によって選択された人物領域について記画像中における高さを伸ばすように修正した画像を生成する生成手段とを備えたこと特徴とする画像生成装置である。
請求項２記載の発明は、前記生成手段は、前記選択された人物領域の人物の顔以外の部分を変形させることによって、前記人物領域について前記高さを伸ばすように修正した画像を生成することを特徴とする請求項１に記載の画像生成装置である。
請求項３記載の発明は、前記生成手段は、前記選択された人物領域の人物の顔部分を変形させることによって、前記人物領域について前記高さを伸ばすように修正した画像を生成することを特徴とする請求項１に記載の画像生成装置である。
請求項４記載の発明は、前記第１の判定手段によって複数検出されたと判定された場合に、これらの人物領域に含まれる人物の前記高さの差が所定の範囲内であるか否を判定する第２の判定手段を更に備え、前記選択手段は、前記第２の判定手段によって上方への高さの差が所定の範囲内であると判定された場合に、前記検出された複数の人物のうち、所定の条件を満たした人物の人物領域を選択することを特徴とする請求項１から３の何れかに記載の画像生成装置である。
請求項５記載の発明は、前記第１の判定手段によって複数検出されたと判定された場合に、これらの人物領域に含まれる人物のうち、前記画像中における高さの最も高い人物と他の人物との高さの差が所定値以上であるか否を判定する第３の判定手段を更に備え、前記選択手段は、前記第３の判定手段によって所定値以上であると判定された場合に、前記検出された複数の人物のうち、所定の条件を満たした人物の人物領域を選択することを特徴とする請求項１から３の何れかに記載の画像生成装置である。
請求項６記載の発明は、修正対象の人物の画像を登録する登録手段と、前記検出手段によって検出された人物領域に、前記登録手段によって登録された人物の画像が含まれるか否かを判定する第４の判定手段と、を更に備え、前記選択手段は、前記第４の判定手段によって登録された人物が含まれると判定された場合に、前記登録された人物の人物領域を選択することを特徴とする請求項１から３の何れかに記載の画像生成装置である。
請求項７記載の発明は、前記所定の条件を満たした人物とは、前記検出された複数の人物のうち、前記画像内において、前記画像中における高さが最も低い人物であることを特徴とする請求項１から４の何れかに記載の画像生成装置である。
請求項８記載の発明は、前記所定の条件を満たした人物とは、前記検出された複数の人物のうち、前記画像内において、前記画像中における高さが最も高い人物以外の人物であることを特徴とする請求項１から４の何れかに記載の画像生成装置である。
請求項９記載の発明は、前記所定の条件を満たした人物とは、前記検出された複数の人物のうち、前記第３の判定手段によって上方への高さの差が所定値以上であると判定された人物であることを特徴とする請求項５に記載の画像生成装置である。
請求項１０記載の発明は、前記所定の条件を満たした人物とは、前記検出された複数の人物のうち、前記第３の判定手段によって上方への高さの差が所定値以上であると判定された人物であることを特徴とする請求項５に記載の画像生成装置である。
請求項１１記載の発明は、画像から人物領域を検出する検出ステップと、この検出ステップによって複数の人物が検出されたか否かを判定する判定ステップと、この判定ステップによって複数の人物が検出されたと判定された場合に、検出された人物のうち所定の条件を満たした人物の人物領域を選択する選択ステップと、この選択された人物領域の前記画像中における高さを伸ばした修正画像を生成する生成手段とを含むこと特徴とする画像生成方法である。
請求項１２記載の発明は、画像生成装置が備えるコンピュータに、画像から人物領域を検出する検出手段と、前記検出手段によって複数の人物が検出されたか否かを判定する第１の判定手段と、前記第１の判定手段によって複数の人物が検出されたと判定された場合に、前記検出された人物のうち所定の条件を満たした人物の人物領域を選択する選択手段と、前記選択された人物領域の前記画像中における高さを伸ばした修正画像を生成する生成手段としての機能を実現させるためのプログラムである。